(57)【特許請求の範囲】
【請求項１】
複数のほぼ等間隔の働き長さで段差を有し傾斜して葺かれる屋根材の上に固定される太陽電池の下部に設けられ前記屋根材の傾斜方向と直角の方向に配置される架台と、少なくとも２個の前記屋根材の上に個別に配置され前記屋根材を介して前記屋根材を支持する支持部に固定される脚部を有し、長手方向を傾斜方向に配置して前記架台を保持する複数の架台保持装置と、を備え、前記架台保持装置は長手方向に回動可能に設けられ前記傾斜する屋根材にほぼ並行に配置されたことを特徴とする太陽電池取り付け装置。
【請求項２】
複数のほぼ等間隔の働き長さで段差を有し傾斜して葺かれる屋根材の上に固定される太陽電池の下部に設けられ前記屋根材の傾斜方向と直角の方向に配置される架台と、少なくとも２個の前記屋根材の上に個別に配置され前記屋根材に当接して固定される脚部を有し、長手方向を傾斜方向に配置して前記架台を保持する複数の架台保持装置と、前記架台保持装置に設けられ架台の位置を保ったまま長手方向に寸法を変更する調整手段と、を備え、前記脚部の前記屋根材との当接位置を変更可能なことを特徴とする太陽電池取り付け装置。
【請求項３】
架台保持装置は長手方向に寸法を変更する調整手段を有し、複数の種類の働き長さの屋根材に対応して当接可能なことを特徴とする請求項１又は２記載の太陽電池取り付け装置。
【請求項４】
複数のほぼ等間隔の働き長さで段差を有し傾斜して葺かれる屋根材よりなる屋根面の傾斜方向の少なくとも２個の前記屋根材の上に個別に配置され屋根の上に固定される脚部と、この脚部に係合され長手方向を傾斜方向に配置されて支持物体を保持する本体と、前記脚部と前記本体との係合位置を変更して取り付け又は前記本体の屋根面への方向を反転して取り付け又は前記本体の支持物体を支持する支持位置を変更して取り付け又は各変更の組み合わせにより脚部の傾斜方向の位置を調節可能な前記脚部および前記本体に設けられた調整手段と、を備え、前記支持物体および前記脚部を屋根面の所定の位置に固定することを特徴とする屋根取り付け固定装置。
【請求項５】
屋根面の傾斜方向に個別に配置され屋根の上に固定される複数の脚部と、この少なくとも二つの脚部に係合され長手方向を傾斜方向に配置されて支持物体を保持する本体と、前記脚部と前記本体との係合位置を変更可能に設けられ又は前記本体の屋根面への取り付け方向を反転し変更可能に設けられ又は前記本体の前記支持物体を支持する支持位置を変更可能に設けられ、前記脚部および前記本体および前記の支持物体の関連位置を調整する調整手段と、前記支持物体の配置位置および脚部の配置位置の少なくとも一つの基準を設けるとともに、前記脚部に係合して前記脚部の位置を変更可能に固定する作業に使用する治具と、を備え、前記脚部を前記屋根材に当接させ固定させる際、前記脚部および前記治具はいずれか一方は脱着可能なことを特徴とする屋根取り付け固定装置。
【請求項６】
脚部に設けられた位置決めピンと係合して対となった前記脚部の位置決めを行う、屋根材働き長さの間隔又はその倍数の間隔で長手方向に設けられた複数の位置決め手段と、前記位置決め手段に係合した前記脚部の側面と当接して前記脚部を保持するとともに前記位置決め手段を支持物体を支持する間隔で設け前記脚部の位置を選択して設定するガイド部と、を備えた治具により、前記脚部を屋根の上の所定の位置に設定して固定することを特徴とする請求項４又は５記載の屋根取り付け固定装置。
【請求項７】
治具に設けられ、複数の支持物体の基準位置を示す基準部を有することを特徴とする請求項６記載の屋根取り付け固定装置。
【請求項８】
複数のほぼ等間隔の働き長さで段差を有し傾斜して葺かれる屋根材の上に固定される太陽電池の下部に設けられ前記屋根材の傾斜方向と直角の方向に配置される架台と、少なくとも２個の前記屋根材の上に配置され前記屋根材を介して前記屋根材を支持する支持部に固定されるとともに、長手方向を傾斜方向に配置して前記架台を保持する架台保持装置と、複数の架台の設置位置に相当する架台保持装置の側方に当接可能に屋根面に載置されたとき当接した前記架台保持装置の側方に突出した係合部に係合し位置を決める係合手段を設けるとともに、前記架台保持装置に面にて係合して前記架台保持装置の位置を変更可能に固定する作業を行う治具と、を備え、前記架台保持装置を前記屋根材に当接させ固定させる際、前記治具は前記架台保持装置から脱着可能なことを特徴とする陽電池取り付け装置。
【請求項９】
複数のほぼ等間隔の働き長さで段差を有し傾斜して葺かれる屋根材の上に固定される太陽電池の下部に設けられ前記屋根材の傾斜方向と直角の方向に配置される架台と、少なくとも２個の前記屋根材の上に配置され前記屋根材を介して前記屋根材を支持する支持部に固定されるとともに、長手方向を傾斜方向に配置して前記架台を保持する架台保持装置と、前記架台保持装置の前記架台を保持する面に設けられ、前記架台の取り付け位置を摺動して選択可能な架台保持機構と、を備え、前記架台保持装置を前記屋根材にほぼ並行に配置したことを特徴とする太陽電池取り付け装置。
【請求項１０】
架台保持装置は屋根材の働き長さとほぼ等しい間隔又はこの働き長さの倍数の間隔で少なくとも２個の脚部にて屋根材に当接するとともに、前記脚部に対し長手方向に回動して屋根面にほぼ平行に配置されて架台を保持する本体を有することを特徴とする請求項１又は２又は８又は９記載の太陽電池取り付け装置。
【請求項１１】
複数のほぼ等間隔の働き長さで段差を有し傾斜して葺かれる屋根材の上に固定される太陽電池の下部に設けられ前記屋根材の傾斜方向と直角の方向に配置される架台と、少なくとも２個の前記屋根材の上に配置され前記屋根材を介して前記屋根材を支持する支持部に固定されるとともに、長手方向を傾斜方向に配置して前記架台を保持する架台保持装置と、を備え、前記架台保持装置の前記屋根材と当接する面と少なくとも２個の屋根材の段差である頂点が接して取り付けられ、前記架台保持装置を屋根面にほぼ並行に配置したことを特徴とする太陽電池取り付け装置。
【請求項１２】
架台保持装置と屋根材の段差との間の隙間形状に充填する充填材を介在させて前記架台保持装置を固定したことを特徴とする請求項１又は２又は８又は９または１１記載の太陽電池取り付け装置。
【請求項１３】
複数のほぼ等間隔の働き長さで段差を有し傾斜して葺かれる屋根材の上に固定される太陽電池の下部に設けられ前記屋根材の傾斜方向と直角の方向に配置される架台と、少なくとも２個の前記屋根材の上に配置され前記屋根材を介して前記屋根材を支持する支持部に固定されるとともに、長手方向を傾斜方向に配置して前記架台を保持する架台保持装置と、前記架台保持装置の屋根面への取り付け方向を反転し変更可能に設けられ又は前記架台保持装置の前記架台を支持する支持位置を変更可能に設けられて前記屋根面における前記架台保持装置の関連位置を調整する調整手段と、を備え、前記架台保持装置の前記屋根材と当接する面と少なくとも２個の屋根材の段差である頂点が接して取り付けられ、前記架台保持装置を前記屋根面にほぼ並行に配置したことを特徴とする太陽電池取り付け装置。
【請求項１４】
複数のほぼ等間隔の働き長さで段差を有し傾斜して葺かれる屋根材の上に固定される太陽電池の下部に設けられ前記屋根材の傾斜方向と直角の方向に配置される架台と、前記屋根材の上に配置され前記屋根材に当接して固定され、長手方向を傾斜方向に配置して前記架台を保持する複数の架台保持装置と、を備えた太陽電池取り付け装置において、
前記屋根材に固定された前記架台保持装置の側面に設けられた位置決め部を前記架台保持装置に当接して配置された治具の係合部と係合させるステップと、前記位置決め部から前記架台の配置される間隔で前記治具に設けられた別の位置決め部に別の架台保持装置を係合させて設定し固定するステップと、前記屋根材に固定した架台保持装置に保持される架台を組み立てるステップと、を備えたことを特徴とする太陽電池屋根取り付け方法。
【請求項１５】
架台保持装置は長手方向に複数の種類の働き長さの屋根材に対応して当接可能な寸法を変更する調整手段を有し、この調整手段の調整位置に治具の係合部を係合させるステップと、を備えたことを特徴とする請求項１４記載の太陽電池屋根取り付け方法。
【発明の詳細な説明】
【０００１】
【発明の属する技術分野】
この発明は、主として太陽電池等を屋根の上に取り付ける装置の構造および取り付け方法に関するものである。
【０００２】
【従来の技術】
太陽電池を屋根の上に取り付ける構造として、例えば特開平７−１５８２１８号公報などの技術が知られている。これは屋根と一体に太陽電池を屋根に取り付ける方法で、野地板に支持部材を固定し、コ字状アングル部材を支持部材の上に固定して太陽電池をこのアングル部材の上に固定していくものである。
さらに特開平７−１５３９８３号公報では、屋根母屋、例えばたる木に屋根材、野地板を貫通して太陽電池を取り付ける架台を固定する構成が記載されている。
一方太陽電池を屋根の上ではずし修理点検しようと言う固定具の技術が特開平６−２０７４５０号公報に記載されている。
【０００３】
【発明が解決しようとする課題】
従来の技術、例えば特開平７−１５８２１８号公報などの技術では新築又は屋根の葺き替え時でなければ出来ない施工内容であり、既存の住宅などに対し、屋根の上に後から取り付けることが出来ず、また取り付けの部材は屋根寸法毎に異なるなどの問題があった。また他の従来技術においては、屋根面の流れ方向の段差のある屋根材に対し、この流れ方向に太陽電池を固定する傾斜した桟を屋根に平行な面を得るため、既存のさまざまな住宅の屋根にたいし、段差対策に多くの工程を要し手間がかかるとともに固定のための精度を得るためや、雨仕舞いに時間がかかるという問題があった。またこの作業中重量があり、長い桟を傾斜させたまま取り扱う必要があり、落下対策など安全上の問題があった。
【０００４】
この発明は、以上の問題点を解決するためになされたものであり、新築又は屋根の葺き替え時ばかりでなく、既存の住宅などに対しても、簡単に、かつ安全に太陽電池などを屋根の上に取り付けられる構造を提案するものである。またどのような屋根に対しても、簡単で精度の良い屋根取り付け固定装置を提供するものである。またこの発明は作業が簡単な太陽電池屋根取り付け方法を提供するものである。
【０００５】
【課題を解決するための手段】
この第１の発明に係わる太陽電池取り付け装置は、複数のほぼ等間隔の働き長さで段差を有し傾斜して葺かれる屋根材の上に固定される太陽電池の下部に設けられ屋根材の傾斜方向と直角の方向に配置される架台と、少なくとも２個の屋根材の上に個別に配置され屋根材を介して屋根材を支持する支持部に固定される脚部を有し、長手方向を傾斜方向に配置して架台を保持する複数の架台保持装置と、を備え、架台保持装置は長手方向に回転可能に設けられ傾斜する屋根材にほぼ並行に配置されたものである。
【０００６】
この第２の発明に係わる太陽電池取り付け装置は、架台保持装置に設けられ架台の位置を保ったまま長手方向に寸法を変更する調整手段を備え、脚部の屋根材への当接位置を変更可能なものである。
【０００７】
この第３の発明に係わる太陽電池取り付け装置は、長手方向に寸法を変更する調整手段を有し、複数の種類の働き長さの屋根材に対応して当接可能なものである。
【０００８】
この第４の発明に係わる屋根取り付け固定装置は、脚部および本体に設けられた調整手段により、支持物体および脚部を屋根面の所定の位置に固定するものである。
【０００９】
この第５の発明に係わる屋根取り付け固定装置は、脚部に係合して位置を変更可能に固定する作業に治具を使用して脚部を屋根材に固定する際、脚部および治具のどちらか一方は脱着可能なものである。
【００１０】
この第６の発明に係わる屋根取り付け固定装置の治具は、位置決め手段を支持物体を支持する間隔で設け、脚部の位置を選択して設定するガイド部を備え、治具は架台保持装置から脱着可能なものである。
【００１１】
この第７の発明に係わる屋根取り付け固定装置は、治具に複数の支持物体の基準位置を示す基準部を有するものである。
【００１２】
この第８の発明に係わる太陽電池取り付け装置は、架台保持装置の側方に突出した係合部に係合し位置を決める係合手段を設けるとともに架台保持装置に面で係合して架台保持装置の位置を変更可能に固定する作業を行う治具とを備え、治具は架台保持装置から脱着可能なものである。
【００１３】
この第９の発明に係わる太陽電池取り付け装置は、架台保持装置の架台を保持する面に設けられ架台の取り付け位置を摺動して選択可能な架台保持機構を備えたものである。
【００１４】
この第１０の発明に係わる太陽電池取り付け装置は、屋根材の働き長さとほぼ等しい間隔又は倍数の間隔で少なくとも２個の脚部にて屋根材に当接するとともに、脚部に体品が手方向に会同して屋根材にほぼ並行に配置されるものである。
【００１５】
この第１１の発明に係わる太陽電池取り付け装置は、架台保持装置の屋根材と当接する面と少なくとも２個の屋根材の段差である頂点が接して取り付けられ、架台保持装置を屋根面にほぼ並行に配置したものである。
【００１６】
この第１２の発明に係わる太陽電池取り付け装置は、架台保持装置と屋根材の段差との間の隙間形状に充填する充填財を介在させて架台保持装置を固定したものである。
【００１７】
この第１３の発明に係わる太陽電池取り付け装置は、架台保持装置の屋根面への取り付け方向を反転し変更可能に設けられ又は架台保持装置の架台を支持する支持位置を変更可能に設けられて屋根面における架台保持装置の関連位置を調整する調整手段を備え、架台保持装置の屋根材と当接する面と屋根材の頂点が接して取り付けられ架台保持装置と屋根面がほぼ並行に配置したものである。
【００１８】
この第１４の発明に係わる太陽電池屋根取り付け方法は、屋根材に固定された架台保持装置の側面に設けられた位置決め部を架台保持装置に当接して配置された治具の係合部と係合させるステップと、位置決め部から架台の配置される間隔で治具に設けられた別の位置決め部に別の架台保持装置を係合させて設定し固定するステップと、屋根材に固定した架台保持装置に保持される架台を組み立てるステップと、を備えたものである。
【００１９】
この第１５の発明に係わる太陽電池屋根取り付け方法は、架台保持装置は長手方向に複数の種類の働き長さの屋根材に対応して当接可能な寸法を変更する調整手段を有し、この調整手段の調整位置に治具の係合部を係合させるステップと、を備えたものである。
【００２０】
【発明の実施の形態】
実施の形態１．
図１、図２はこの発明の実施の形態の一例を示す施工状態説明図である。図３は架台施工状態の拡大を示す説明である架台保持装置説明図を示す。
１は屋根面取り付け部材である架台保持装置で、段差のある屋根材６の上にほぼ密着している。３は太陽電池本体５を保持する架台である。シングル、金属板、平板瓦や化粧薄板スレート等の屋根材６はたる木１０１にて支持される野地板１３の上に厚みの段差を持ってほぼ一定の屋根材働き長さにより配置されている。この働き長さは例えばＪＩＳＡ４−５４２３で決められているように、流れ方向の長さから重なり部分を引いた長さで、屋根によっては異なる寸法のものも存在する。
屋根面の傾斜方向に配置された架台保持装置１は、脚部１０２と架台を支持する本体２より構成されている。すなわち２つの屋根取り付け部材６の上に脚部である屋根取り付け部材１０２が屋根材働き長さとほぼ同じ間隔で乗せられている。架台支持部材である本体２と脚部１０２とは穴１１にボルト１０で回転可能に支持されている。脚部１０１は屋根部材６を貫通するボルト１０３により野地板１３やたる木１０１に木ネジ固定されている。
この場合は金具はたる木の上に設置するが、野地板に固定するのであれば、屋根板の上であればよい。野地板はたる木に固定され屋根全体を覆い屋根材を支えている。
【００２１】
図３に示すごとく。架台保持装置１の本体２は上面に架台支持面９を有している。
太陽電池本体５は、架台３に固定されている。この架台３は架台支持装置１に一方のフランジを挟み込まれて止められている。しかも他方のフランジは、架台固定部材７により後から、かつ上から本体２にネジ固定されることにより動かなくなる。
架台保持装置１における脚部１０２が取り付けられる本体２の取り付け部である穴は、図３に示されるように一つの脚に対し３カ所あけられている。この穴の選択により脚の間隔を屋根材働き長さに合わせることが出来る。
本体２に３種類の屋根働き長さに対応したネジ穴を設けた例を示したが角穴を組み合わせることによりもっと多様な設定も可能になるし、片足にだけたくさん穴を設けるなど使い方はいろいろあり得る。
しかもこの穴に挿入されるボルトにより本体と脚部は部分的に回転可能に係合され、本体は脚部の屋根材と当接する取り付け角度とは異なる角度を得ることが出来、本体は屋根面の傾き、例えば野地板の傾きに合わせることが出来る。穴とボルトとの係合により位置や寸法関係が抑えられており、本体は脚部の状況とは別に屋根面、すなわち野地板とほぼ並行に、言い換えると屋根の傾斜に沿ったものとなる。
【００２２】
図４の架台保持装置説明図および図５の位置決め治具説明図により、架台保持装置１の屋根材６上の位置選択における説明を行う。８は所定の屋根材６の上に乗っているかどうかを決める位置決めピンで、もし脚部１０２がきちんと屋根材６に当接しない位置にあるときはこのピン８を基準にして本体とともに脚部を含め反転させることが出来る。
図４の上部には取り付け位置変更前の状態を示し、下部には取り付位置変更後の状態を示す。架台３の中心位置が確保された後、とりあえず設置した脚部１０２の位置が、すなわち変更前は脚部１０２が屋根材６の段差６ａの上にきてしまっている。これをピン８を基準に位置決め治具を使用して架台保持装置全体を反転させると課題中心はそのままで段差をさけて屋根材６の上に安定して設置できる。屋根接地面端より外側にあるピンの中心で正転や反転を選択すればよい。
なお図４においては、架台支持部９の長さを屋根材の働き長さに近い寸法とし、架台保持装置２を反転するとともに架台支持位置９ａを反対側の架台支持位置９ｂに移動して屋根面投影状の位置を変更することなく、すなわち架台支持位置が同じ位置を確保できるようにしている。
【００２３】
図５の右側に位置決めジグの上面を、左側に位置決めジグの側面を示す。２０は架台保持装置１の脚部１０２の屋根面における位置を決めるのに用いる位置決め治具である。２１は位置決め治具２０が脚部１０２と勘合するように設けられた勘合用スリットである。２２は架台保持装置１を屋根面の傾斜方向に取り付ける際の装置の軸方向中心を示すスリットである。２３は設置すべき架台３の中心の位置を示すスリットである。
２４はガイド面である。
次にこの位置決め治具２０を使用して、架台保持装置１を屋根面に取り付ける手順を図６−９にて説明する。図６に示すように、屋根面の傾斜方向に架台３の中心の位置を示すスリット２３の位置を確保して屋根の上におかれた位置決め治具２０が脚部１０２と勘合用スリット２１により勘合される。この勘合用スリット２１は二つのガイド面２４に設けられ上面から底面まで貫通している。図７のようにこのスリットを基準に脚部１０２を治具２０に挿入するが、このとき適切なスリット２１ａを選択して屋根材の働き長さＬの中で当接するようにピン８を挿入することにより、段差をさけて位置が簡単に決まる。このとき架台保持装置１の中心線２８は基準２２により、架台の中心線２５は基準であるスリット２３と合わされて確保されている。また二つのガイド面２４が脚部１０２をガイドしており、また治具全体で脚部１０２の位置を決めており木ねじなどで屋根面に固定する際も安定した施工が行え、左右のずれや傾きなどをさけることが出来る。
【００２４】
図８、９に位置決め治具２０を使用して取り付け位置を選択する手順の説明を行う。
図８にはあらかじめ決められたとおり、或いは目視にて設置しそのまま取り付ければよい状態の説明を示す。すなわち屋根面取り付ける部材は段差６ａにかかっていない。
図９の上部には取り付け位置変更前を、下部には位置変更後の説明を示す。
取り付けた最上部の図に示すように段差にかかった際は、下部に示すように金具１０２を反転して取り付けるがこの際、ピン８がスリット２１ａに挿入されている場合は反転した後も同じスリット２１ａに挿入することにより段差６ａの上からずらすことが出来る。
なお本体や脚部の下面にクッションなど段差の形状になじむ素材を挟んで金具を締め付けることにより、少々段差にかかっていたとしても固定された荷重の大半が安定して各屋根材に加わり、屋根材に対し問題のない配置や位置と判断できる場合であれば、位置を変更することなくそのまま金具を安心して固定することが出来、より一層据え付け性が良くなる。
【００２５】
上記のように治具は金具を屋根面に取り付けた状態ではずすことが出来、しかもすでに取り付けた金具を基準にした次の金具の取り付け位置が決められたり、金具を自由にガイド面をスライドさせて取り扱えるなど取り扱いが容易で、かつ、据え付け性が良い治具が得られる。
しかも屋根面取り付け部材を反転させた場合でも、架台支持位置の屋根面投影状の位置が同一となる２カ所の架台支持部９を設けることにより、かつ、本体２をボルト１０で穴１１に係合させたときに架台中心線が寸法関係から確保できる様にすればよいことになる。
【００２６】
以上の説明においては脚部と本体とをボルトで回動係合させて段差を吸収する構成を示したが、脚部を本体に取り付ける構造であれば、例えば長穴とピンの構造やかみ合わせて角度や位置を変えたり、或いはカム方式で変えても良く、屋根に当接する部分と太陽電池のような構造物を屋根の傾斜に合わせて保持する部分との配置や長さや角度を自在に選択する組み合わせであればよいことは当然である。
なお上記のような屋根取り付け固定装置では、段差がなかったり、比重に小さい段差の屋根材の上に固定する場合や、複雑な形状の表面を持つ屋根の上に取り付ける場合でも、取り付け装置の脚部を固定する支持部の位置夜行性や方法に応じて脚部の配置が選択できるので有効な固定装置が得られ、かつ簡単に取り付けられるものとなる。
【００２７】
図１０−２１にて設置の手順を具体的に説明する。図１０にて示すように、屋根面上に架台中心線２５、最も棟よりの屋根面取り付け部材である脚部の中心線とこの部材の流れ方向（傾き方向）中心線、すなわち架台保持装置の中心線２８を墨出しする。
図１１に示すように最も棟側の脚部１０２を固定する。
図１２に示すように脚部１０２のピン８にに位置決め治具２０の適切なスリット２１を選んではめ込み固定する。
図１３に示すように、もう片方の脚部１０２を適正なスリット２１にはめ込んで固定して棟側１列目の架台保持装置の１対の脚部の固定を終える。
図１４に示すように、位置決め治具に設けた各スリットにより棟側２列目の架台保持装置の１対の脚部の組を設定し固定する。
図１５に示すように、位置決め治具を一度外し、棟側２列目の脚部に位置決め治具の上部をはめ込みなおして、図１６のごとく、この２列目を基準にして棟側３列目の対を設定し固定する。同様にして図１７に示すように、全ての屋根取り付け部材を屋根の支持部１０１他に固定する。もちろん図１９に示すように上部にはピン８が棟側を向いた例が、下部にはピン８が棟とは反対の方向を向いた例がしめされるように、段差に応じたピン８の配置により決められた位置に固定される。
【００２８】
図１８に示すように、脚部１０２を取り付け完了後、次に本体２を脚部に合わせ、穴１１にボルト１０にて係合させる。この際働き長さに応じた本体の係合位置に取り付ける。
本体２を組み立て後、架台３をこの本体の架台支持部９にフランジを挿入して組み立て、さらに図２１のごとく架台固定部材７をを上からネジ止めして、図２０に示すように架台３を架台固定装置１に固定させ保持する。
このように位置決め治具２０と脚部１０２に勘合部を持つとともに、ジグ側の勘合部として屋根材働き長さに対応した間隔又はその倍数で設けてあり、しかも複数の働き長さに応じられる勘合部を設けてあり、脚部１０２の対を複数設定でき、これにより架台取り付け位置の基準との関係で架台の位置を確認しながら、固定すべき脚部の位置をこの治具を用いることにより簡単に精度良く施工できる。
【００２９】
すなわち先ず屋根材働き長さと同じ間隔のスリットに位置決めピンを挿入して位置が決められるので容易に精度良く金具の間隔が決められる。また位置決めピンに加えて金具の両側を挟み込むので、金具の回転などのずれがなくなり施工の精度が向上する。また太陽電池などの取り付け物体の取り付け間隔に合わせた基準となるスリットを設け金具の位置決めピンを挿入するので、物体の取り付け間隔に合わせ金具を設置できる。
さらに金具を取り付けた状態で治具を取り外し、すでに取り付けた治具を基準として次の金具の取り付け位置が決められるので、次から次に精度良く組み立てることが出来る。
尚この治具は金具を挟み込み抑えられる強度があれば金属以外のプラスチックでも良いが、金具のネジ止めに力が加わるため軽量金属を使用するか金具が当たる部分に金属を張ると組立作業上良い。以上の手順で屋根の上に太陽電池などを組み立てることが出来るので、金具の複数の配置の位置を簡単に決められ、誰でも出来る簡単な作業で、正確な施工が可能となる。
【００３０】
さらにジグを軽量化した例を図２２、２３にしめす。
位置決め治具２６はガイドとなるたち面が片側の一つだけであるが、脚部１０２の位置決めピン８をスリツト２１に挿入固定することが出来、これにより金具の位置を決めて、かつ、金具の取り付け用ネジ２本を順番に片側のガイド面による周り止め効果を利用して締め付けることが出来る。
【００３１】
実施の形態２．
図２４に本発明の他の例における架台施工状態の拡大説明図を示す。１４は屋根材の段差の隙間を埋める隙間充填材である。金具である屋根取り付け材１０２は屋根働き長さとほぼ同じ間隔で取り付けられている。この金具１０２の両側の側面部に穴１１があけられ、架台保持装置の本体２は金具の両側の側面部の間に挿入されるとともに、側面部に設けられたボルト１０で固定されている。これにより屋根面の傾斜方向の段差のある屋根材には脚部が密接してそれぞれ当接しているが、本体２の架台を支持する架台支持面９は屋根面、すなわち屋根を支持する野地板面１３やたる木１０１の方向とほぼ並行に設けることが出来る。本体２には３種類の屋根材働き長さに対応したネジ穴１２があり、それぞれの働き長さの屋根材に対しても平行な架台支持面９を得ることが出来るし、このネジ穴は３種類に限らず、あらかじめ寸法がわかればその働き長さに応じた寸法を確保すればよい。
【００３２】
実施の形態１の説明では金具を反転させて段差にかからない配置に変える例を示したが、ここでは段差隙間部に段差の形状になじみ、十分な強度を有する、例えば樹脂充填材や屋根材と同じ材質の充填財を接着させ隙間に挟み固定することによって、安定した装置の取り付けを可能としている。
また上記説明と同様に位置決め治具を使用して簡単に金具の位置を決めた取り付けが行える。脚部である金具は本体と分離可能にしているが、これは小さな部品を先ず取り付けるというごとく据え付け作業を容易にしたものであり、本体と金具を一体にして本体下面で屋根材に当接しても良いことは当然である。金具は屋根材を貫通して野地板等にネジ止めする構成で説明しているが、屋根材を迂回したり、屋根材の構造次第で屋根材に直接ネジ止めや溶接するなどの固定でも良いことは当然である。
【００３３】
実施の形態３．
図２５に本発明の他の例における架台施工状態の拡大説明図を示す。３１は屋根働き長さとほぼ同じ間隔で取り付けられ屋根材に当接する金具。３２は架台保持装置の本体、
３３は一対となった固定板３４と組み合わされて位置を固定する固定ボルト、３８はスリット３５を設けた架台支持面である。
金具３１は屋根材６の上に当接して屋根に固定されているもので屋根材働き長さとほぼ同じ間隔で取り付けられている。金具３１の側面には架台を支持する部材である本体３２を中央に挿入してボルト１０で取り付けるための穴１１が設けられている。これにより本体３２は屋根面とほぼ並行に設けることが出来る。金具３２には３種類の長さに対応した穴１１が設けられている。
【００３４】
図２６は架台架台保持装置の位置選択についてを説明する位置選択説明図である。
上部には位置選択前を、下部には位置選択後を示す。位置を変更する前は金具３１は段差６ａ上に乗っており安定した状態では固定されないため締め付けすることが出来ない。
この状態から、金具３１の位置を移動させて段差６ａ上に位置しない様にしている。架台３の支持位置が元の位置と同じになるように、架台支持位置を固定ボルト３３を緩めた状態で本体３２の上面のスリット３５に沿って架台支持位置の移動を行う。この方法を使うことにより金具の位置変更に伴う作業の自由度が増して簡単になるし、ちょっとした微調節が行えるので、より正確な設定が可能になる。
【００３５】
実施の形態４．
図２７に本発明の他の例における架台施工状態の拡大説明図を示す。４０は架台を支持する部材であり、かつ屋根面に当接して固定される架台保持装置、１４は屋根材６と架台保持装置４０との隙間を埋めて荷重を受けながらなじむ素材である隙間充填材、４１は位置決め治具と勘合する側方に突出した位置決めピン、１１１は角度の違う架台保持装置と接触する段差６ａの先端である屋根材の頂点である。
図２８は架台保持装置４０の取り付け位置を調整する機能を説明する取り付け位置調整説明図である。上部には取り付け位置調整前を、下部には位置調整後を示す。位置を変更する前は架台保持装置４０が屋根材６の働き長さの２倍より短く、この装置４０が段差６ａ１個の上に乗っており安定した状態では固定されないため締め付けすることが出来ない。
また２か所以上の頂点１１１にかからないため装置４０は屋根面と平行な状態ではなく、
平行な架台支持面９が得られない。
【００３６】
図２８の下部の図にに示すように、架台３の位置をそのままの状態で架台固定部材７を外して架台支持装置４０を移動させ、架台支持面９を９ａに変更することにより、装置４０は屋根材６の段差の頂点１１１を２カ所に渡して設けられた状態となる。さらに装置４０と屋根材６との間に隙間充填材１４を充填することにより、安定した確実な締め付けが可能となる。これにより簡単な作業で屋根面との平行度が得られる。
実施の形態１と同様に位置決め治具２０を装置４０の側面に突出して設けられた位置決めピン４１に勘合させて使用すれば誰でも精度の良い作業が簡単行える。
【００３７】
実施の形態５．
図２９に本発明の他の例における架台施工状態の拡大説明図を示す。５０は架台を支持する部材であり、かつ屋根面に当接して固定される架台保持装置、１４は屋根材６と架台保持装置５０との隙間を埋めて荷重を受けながらなじむ素材である隙間充填材、５１は位置決め治具と勘合する側方に突出した位置決めピン、１１１は角度の違う架台保持装置と接触する段差６ａの先端である屋根材の頂点である。
図３０は架台保持装置５０の取り付け位置を調整する機能を説明する取り付け位置調整説明図である。上部には取り付け位置調整前を、下部には位置調整後を示す。位置を変更する前は架台保持装置５０が屋根材６の働き長さの２倍より短く、この装置５０が段差６ａの１個の上に乗っており安定した状態では固定されないため締め付けすることが出来ない。また２か所以上の頂点１１１にかからないため装置５０は屋根面と平行な状態ではなく、平行な架台支持面９が得られない。
【００３８】
図３０の下部の図にに示すように、架台３の位置をそのままの状態で架台固定部材７を取り付けないで架台支持装置５０を屋根面の方向に対し反転させ、架台支持面９をそのままとして変更させずに装置５０の位置をずらすことにより、装置５０は例え短い寸法であっても、屋根材６の段差の頂点１１１を２カ所に渡して設けられた状態となる。さらに装置５０と屋根材６との間に隙間充填材１４を充填することにより、安定した確実な締め付けが可能となる。これにより簡単な作業で屋根面との平行度が得られる。
実施の形態１と同様に位置決め治具２０を装置５０の側面に突出して設けられた位置決めピン５１に勘合させて使用すれば誰でも精度の良い作業が簡単行える。
【００３９】
以上のように本発明は屋根面取り付け部材に野地板面から同じ高さとなる架台支持部材の支持部を得るので屋根面とほぼ平行な架台を支持する支持面が得られ、また複数の屋根材の働き長さに対応した取り付け部を架台支持部材に設けたのでどのような屋根でも作業が出来、また段差を回避したり、段差に関係なく架台保持部材を移動しても大抵の位置に対しても調整が出来る構成としと架台支持位置を同一と出来る。
さらに位置決め治具と屋根取り付け部材に勘合部を持ち位置決め治具側の勘合部が屋根材働き長さの間隔又はその倍数で設けてあり、その勘合部に合わせるだけで位置を決められる。屋根面取り付け部材の架台支持部材への取り付け位置を各種の屋根材に対しても位置決め治具により簡単に決められる。充填材を介在させるので安定した取り付けばかりでなく、取り付け部の防水対策にもなる。また短い、直接屋根面に取り付ける架台保持装置でも屋根面にほぼ平行な支持面を得ることが出来、かつ、位置決め治具により架台の設置間隔に合わせ簡単に位置決めし、取り付けることが出来る。架台保持装置の流れ方向長さが屋根材の働き長さより長くその２倍より短い場合、部材の位置を屋根材の頂点２カ所にかかるように移動して固定しても架台支持部の位置が同一となる取り付け位置調整機能を有する。位置決め治具の勘合部がスリットとピンで構成され治具には部材が挿入可能で適度の余裕を持つ間隔で２つの立ち上がり面があり、この立ち面の間に勘合用のスリットは上から下まで貫通しておりどちらを外してもはずせる。屋根面取り付け部材の側面を治具の立ち面と合わせ位置決めをするので屋根取り付け部材が動くことなく締め付けられる。
【００４０】
【発明の効果】
以上説明したように第１の発明に係わる太陽電池取り付け装置の架台保持装置は長手方向に回動可能に設けられ傾斜する屋根材にほぼ並行に配置されるので、太陽電池が精度良く屋根の上に取り付けられ信頼性の高い装置が得られる。
【００４１】
第２の発明に係わる太陽電池取り付け装置は、架台の位置を保ったまま架台保持装置の脚部は屋根材との当接位置を変更できるので、確実な取り付けが出来、安全な装置が得られる。
【００４２】
第３の発明に係わる太陽電池取り付け装置は、架台保持装置の長手方向の寸法を変えられるので屋根材の働き長さの異なる屋根に適用でき使い易い装置が得られる。
【００４３】
第４の発明に係わる屋根取り付け固定装置は、架台保持装置の脚部の位置を調整できるので屋根の段差を回避でき安全な装置が得られる。
【００４４】
第５の発明に係わる屋根取り付け固定装置は、架台保持装置の脚部の位置を治具を使用して固定できるので精度良く、確実な位置で固定された装置が得られ信頼性の高い装置が得られる。
【００４５】
第６の発明に係わる屋根取り付け固定装置は、架台保持装置の脚部の位置を脚部の位置を選択して設定する治具を使用して固定できるので簡単な作業で精度良く、確実な位置で固定された装置が得られる。
【００４６】
第７の発明に係わる屋根取り付け固定装置は、架台保持装置の脚部の位置を支持物体の基準を持つ治具を使用して固定できるので精度良く、安定した取り付けが出来、信頼性の高い装置が得られる。
【００４７】
第８の発明に係わる太陽電池取り付け装置は、架台保持装置の面に係合して位置変更を行えるので取り扱いが容易で精度が簡単に得られる使い易い装置が得られる。
【００４８】
第９の発明に係わる太陽電池取り付け装置は、架台の選択位置を摺動して選択できるので微小な調整が出来、精度の高い装置が得られる。
【００４９】
第１０の発明に係わる太陽電池取り付け装置の架台保持装置は一定の間隔で支持され長手方向に回動可能に設けられ傾斜する屋根材にほぼ並行に配置されるので、段差を回避でき信頼性の高い装置が得られる。
【００５０】
第１１の発明に係わる太陽電池取り付け装置の架台保持装置は少なくとも２個の屋根材の段差である頂点に接して取り付けられるので傾斜する屋根材にほぼ並行に配置され、段差を回避でき信頼性の高い装置が得られる。
【００５１】
第１２の発明に係わる太陽電池取り付け装置の架台保持装置は少なくとも２個の屋根材の段差である頂点に接して取り付けられ、段差との隙間が充填され段差に関係なく設置でき、取り付けが簡単である。
【００５２】
第１３の発明に係わる太陽電池取り付け装置の架台保持装置は装置の位置を調整できるとともに少なくとも２個の屋根材の段差である頂点に接して取り付けられ、段差との隙間が充填され段差に関係なく設置でき、取り付けが簡単で確実な取り付けが可能な装置が得られる。
【００５３】
第１４の発明に係わる太陽電池屋根取り付け方法は、架台保持装置に治具を係合させ、治具に別の架台保持装置を係合させて架台を組み立てるので素早く簡単に組み立てることが出来る。
【００５４】
第１５の発明における太陽電池屋根寸法が変更容易なので確実な作業が可能である。
【図面の簡単な説明】
【図１】この発明の実施の形態の位置決め治具取り扱い説明図である。
【図２】この発明の実施の形態の太陽電池取り付け装置の施工状態説明図である。
【図３】この発明の実施の形態の架台保持装置説明図である。
【図４】この発明の実施の形態の架台保持装置説明図である。
【図５】この発明の実施の形態の位置決め治具説明図である。
【図６】この発明の実施の形態の位置決め治具取り扱い説明図である。
【図７】この発明の実施の形態の位置決め治具取り扱い説明図である。
【図８】この発明の実施の形態の位置決め治具取り扱い説明図である。
【図９】この発明の実施の形態の位置決め治具取り扱い説明図である。
【図１０】この発明の実施の形態の装置取り付け手順説明図である。
【図１１】この発明の実施の形態の装置取り付け手順説明図である。
【図１２】この発明の実施の形態の装置取り付け手順説明図である。
【図１３】この発明の実施の形態の装置取り付け手順説明図である。
【図１４】この発明の実施の形態の装置取り付け手順説明図である。
【図１５】この発明の実施の形態の装置取り付け手順説明図である。
【図１６】この発明の実施の形態の装置取り付け手順説明図である。
【図１７】この発明の実施の形態の装置取り付け手順説明図である。
【図１８】この発明の実施の形態の装置取り付け手順説明図である。
【図１９】この発明の実施の形態の装置組立説明図である。
【図２０】この発明の実施の形態の装置取り付け手順説明図である。
【図２１】この発明の実施の形態の装置組立説明図である。
【図２２】この発明の実施の形態の位置決め治具説明図である。
【図２３】この発明の実施の形態の位置決め治具取り扱い説明図である。
【図２４】この発明の別の実施の形態の架台保持装置説明図である。
【図２５】この発明の別の実施の形態の架台保持装置説明図である。
【図２６】この発明の別の実施の形態の架台保持装置位置変更説明図である。
【図２７】この発明の別の実施の形態の架台保持装置説明図である。
【図２８】この発明の別の実施の形態の架台保持装置位置変更説明図である。
【図２９】この発明の別の実施の形態の架台保持装置説明図である。
【図３０】この発明の別の実施の形態の架台保持装置位置変更説明図である。
【符号の説明】
１  架台保持装置、  ２  本体、  ３  架台、  ５  太陽電池本体、  ６  屋根材、  ７  架台固定部材、  ８  位置決めピン、  ９  架台支持部、  １０  ボルト、  １１  穴、１３  野地板、  ２０  位置決め治具、  １０１  たる木、  １０２  脚部。
【図１】
0003550948.tif 000002
【図２】
0003550948.tif 000003
【図３】
0003550948.tif 000004
【図４】
0003550948.tif 000005
【図５】
0003550948.tif 000006
【図６】
0003550948.tif 000007
【図７】
0003550948.tif 000008
【図８】
0003550948.tif 000009
【図９】
0003550948.tif 000010
【図１０】
0003550948.tif 000011
【図１１】
0003550948.tif 000012
【図１２】
0003550948.tif 000013
【図１３】
0003550948.tif 000014
【図１４】
0003550948.tif 000015
【図１５】
0003550948.tif 000016
【図１６】
0003550948.tif 000017
【図１７】
0003550948.tif 000018
【図１８】
0003550948.tif 000019
【図１９】
0003550948.tif 000020
【図２０】
0003550948.tif 000021
【図２１】
0003550948.tif 000022
【図２２】
0003550948.tif 000023
【図２３】
0003550948.tif 000024
【図２４】
0003550948.tif 000025
【図２５】
0003550948.tif 000026
【図２６】
0003550948.tif 000027
【図２７】
0003550948.tif 000028
【図２８】
0003550948.tif 000029
【図２９】
0003550948.tif 000030
【図３０】
0003550948.tif 000031